(57)【要約】【課題】施工が簡単であるとともに防水シートによる防水効果も備え、総合的に高い耐久性を確保することができるルーフドレンを提供する。【解決手段】コンクリート製建築物のスラブＡの所定位置に配設され、スラブＡ上の雨水等を排水管Ｂを通じて外部に排水するためのルーフドレン１において、排水管Ｂに接続されるドレン本体２と、ドレン本体２に形成された排水口周縁に一体的に固定される環状の防水シート３と、排水口上に配置されるストレーナ４とを備え、ドレン本体２がポリプロピレン製からなっている。ドレン本体２には、挿入量を調整することでドレン本体２の水平調整を行う調整部材５が設けられている。ストレーナは、上下階に亘って配設される排水管に対して適用されるためのもので、排水管が挿通配置される上部が長孔に形成されている。【選択図】  図２
2006037391.tif 000002
【特許請求の範囲】
【請求項１】
コンクリート製建築物のスラブの所定位置に配設され、スラブ上の雨水等を排水管を通じて外部に排水するためのルーフドレンにおいて、
排水管に接続されるドレン本体と、該ドレン本体に形成された排水口周縁に一体的に固定される環状の防水シートと、排水口上に配置されるストレーナとを備え、上記ドレン本体がポリプロピレン製からなることを特徴とするルーフドレン。
【請求項２】
前記ドレン本体には、挿入量を調整することで当該ドレン本体の水平調整を行う調整部材が設けられたことを特徴とする請求項１記載のルーフドレン。
【請求項３】
前記ストレーナは、上下階に亘って配設される排水管に対して適用されるためのもので、上記排水管が挿通配置される上部が長孔に形成されたことを特徴とする請求項１又は２記載のルーフドレン。
【発明の詳細な説明】
【技術分野】
【０００１】
本発明は、バルコニーやベランダなどに設けられ、雨水等を排水管に導くためのルーフドレンに関するものである。
【背景技術】
【０００２】
従来、コンクリート製建築物のスラブの所定位置に配設され、スラブ上の雨水等を排水管を通じて外部に排水するルーフドレンが提供されている。具体的には、このルーフドレンは、排水管に接続されるドレン本体と、このドレン本体の上部に配置されるストレーナとから構成されている（例えば、特許文献１参照。）。
【特許文献１】特開２０００−３２００８９号公報
【発明の開示】
【発明が解決しようとする課題】
【０００３】
しかしながら、上記従来のルーフドレンは作製コストなどの面から鋳物製が用いられている。このためルーフドレン自体が重く位置合わせなどの設置に余分な労力を要して手間がかかるとともに、錆びるという問題があった。
【課題を解決するための手段】
【０００４】
請求項１に係る発明のルーフドレンは、コンクリート製建築物のスラブの所定位置に配設され、スラブ上の雨水等を排水管を通じて外部に排水するためのルーフドレンにおいて、排水管に接続されるドレン本体と、該ドレン本体に形成された排水口周縁に一体的に固定される環状の防水シートと、排水口上に配置されるストレーナとを備え、上記ドレン本体がポリプロピレン製からなるものであ。
【０００５】
請求項２に係る発明のルーフドレンは、前記ドレン本体には、挿入量を調整することで当該ドレン本体の水平調整を行う調整部材が設けられたものである。
【０００６】
請求項３に係る発明のルーフドレンは、前記ストレーナが、上下階に亘って配設される排水管に対して適用されるためのもので、上記排水管が挿通配置される上部が長孔に形成されたものである。
【発明の効果】
【０００７】
本発明によれば、ルーフドレンをスラブの所定位置に適正な状態で容易に配設することができ施工が簡単であるとともに、防水シートによる防水効果も備えている。また、ドレン本体がＰＰ製であることから、当該ドレン本体の表面が滑らかで雨水等を円滑に排水管に導くことができるとともに、錆びることがなく長期的に綺麗な状態で使用することができ、しかも、気候変化に伴うコンクリートの収縮等に対してもその柔軟性によって破損などを防止しながら対応することができ、総合的に高い耐久性を確保することができる。
【発明を実施するための最良の形態】
【０００８】
以下、本発明の実施の形態について図面を参照して説明する。
【０００９】
図１及び図２は、本発明のルーフドレンを示している。
【００１０】
このルーフドレン１は、コンクリート製建築物のスラブＡの所定位置に配設され、スラブＡ上の雨水等を排水管Ｂを通じて外部に排水するためのもので、図１及び図２に示すように、ドレン本体２と、このドレン本体２の上面に一体的に固定される防水シート３と、ドレン本体２の上面に配置されるストレーナ４とを備えている。
【００１１】
ドレン本体２は、上部２１、と当該上部２１よりも小径の下部２２とによって段状に形成されており、これら上部２１及び下部２２には図３に示すように排水口２３が上下に貫通して形成されている。また、上部２１の上端周縁にはフランジ部２４が形成されている。フランジ部２４の上面は、外縁から内方に亘って下方に傾斜した傾斜面２５に形成されており、この傾斜面２５が上記排出口２３に繋がっている。
【００１２】
そして、このように構成されたドレン本体２は、ポリプロピレン（ＰＰ）製によって一体成形されている。
【００１３】
防水シート３は、図３に示すように中心部に開口３１を有するとともに、上記フランジ部２４の外径よりも大きな環状に形成された透明体になされたもので、開口３１は前記排水口２３の上部開口と略同じ大きさに形成されている。この防水シート３は、その内周縁３２が固定リング３３と前記フランジ部２４の上面とに挟持されることによってドレン本体２と一体的に設けられている。
【００１４】
具体的には、図３に示すように固定リング３３と内周縁３２には、その合致する位置にビス３４が挿通可能な複数の挿通孔３３ａ、３２ａ（例えば３箇所）が形成されるとともに、フランジ部２４の上記挿通孔３３ａ、３２ａと合致する位置にネジ孔２４ａが形成されている。従って、防水シート３の内周縁３２を固定リング３３と前記フランジ部２４の上面との間に挟持した状態でビス３４を挿通孔３３ａ、３２ａを挿通させてネジ孔２４ａにネジ込むことによって防止シート３をドレン本体２に一体的に強固に固定することができる。
【００１５】
ストレーナ４は、周面全体に複数の透孔４１を有する帽子状に形成されたもので、その下端周縁４２を前記防水シート３を固定する固定リング３３上に載置することによって排水口２３を覆うようにして配置される。このストレーナ４によって雨水等に伴って排水口２３内に侵入しようとする木の葉等の侵入物の侵入を阻止するようにしている。
【００１６】
また、前記ドレン本体２の上部２１外周面には、図３に示す調整部材５の一端部５１が挿入可能な挿入部２６が例えば円周方向に等間隔を隔てて３箇所設けられている。
【００１７】
この調整部材５は、Ｌ字状に形成されており、上記挿入部２６に挿入する一端部５１の挿入量を各箇所で調整することによってドレン本体２の水平調整を行うようにしている。
【００１８】
なお、挿入部２６はドレン本体２とＰＰによって一体成形されるとともに、調整部材５は例えば鉄製からなり、ＰＰによる材質自体の軟性によって挿入部２６への調整部材５の挿入を許容し、且つ挿入した状態で保持するようにしている。
【００１９】
そして、このように構成されたルーフドレン１は、次のようにしてスラブＡの所定位置に配設される。
【００２０】
まず、図２に示すように予め形成されたスラブＡの基礎部Ａ１に形成された取付孔Ａ２にルーフドレン１を配置する。この際、各調整部材５の一端部５１を各挿入部２６に挿入する量を調整することによってルーフドレン１全体をその水平及び高さが適正な状態になるように調整しながら配置する。
【００２１】
続いて、この状態で基礎部Ａ１上にコンクリートを流し込むことで、図２に示すようにルーフドレン１をスラブＡの所定位置に適正な状態で容易に配設することができ施工が簡単であるとともに、防水シート３による防水効果も備えている。
【００２２】
そして、ドレン本体２の下部２２に排水管Ｂが挿入されることで後述するシール機構を介して連結され、これによりスラブＡ上の雨水等をルーフドレン１から排水管Ｂを通じて外部に排水する。
【００２３】
ところで、上述したようにドレン本体２がＰＰ製であることから、当該ドレン本体２の表面が滑らかで雨水等を円滑に排水管Ｂに導くことができる。また、錆びることがなく長期的に綺麗な状態で使用することができるとともに、気候変化に伴うコンクリートの収縮等に対してもその柔軟性によって破損などを防止しながら対応することができ、総合的に高い耐久性を確保することができる。さらに、強度や耐熱性にも優れ、しかも再利用することができるので環境等にやさしいという効果を奏する。
【００２４】
また、ドレン本体２の下部２２と当該下部２２に外嵌される排水管Ｂとの間にはシール機構が施されている。
【００２５】
即ち、図４に示すように、下部２２の下端外周と排水管Ｂの上端内周との間に環状のパッキンＣを介装した状態で両者が連結されている。具体的には、下部２２の下端２２ａは小径になされた段状に形成されており、この下端外周にパッキンＣを介装した状態で排水管Ｂを下部２２に差し込むことによって両者をシールした状態で容易に連結することができる。
【００２６】
このパッキンＣは、上記下端２２ａに対応する環状に形成されるとともに、一端部に形成されたフランジ部Ｃ１によってその縦断面がＬ字状に形成されており、例えば合成樹脂発泡体によって作製されている。そして、このパッキンＣは、上述したように両者をシールするシール材の役割を果たすとともに、ポリプロピレン製のドレン本体２と種々の種類の合成樹脂からなる排水管Ｂとの接合性を高める役割を果たしている。
【００２７】
また、パッキンＣは、図５に示すように、排水管Ｂを接合していない状態では上記フランジ部Ｃ１がドレン本体２の外周から外方に若干突出する厚みを有し、排水管３Ｂを差し込むことによってフランジ部Ｃ１が圧縮された状態でドレン本体２と排水間Ｂの間に介在される。このためパッキンＣは上記両者の寸法誤差を吸収しながら当該両者を良好に接合させる役割も果たすことができる。なお、下部２２の下端２２ａ外周にはパッキンＣをその位置で保持するための小突起２２ｂが一体的に形成されている。
【００２８】
また、上記パッキンＣの代わりに、図６に示すように下部２２の下端外周に凸状の環状部２２ｃを一体に形成し、この環状部２２ｃを押潰しながら排水管Ｂを差し込むことによっても両者をシールした状態で連結することができる。
【００２９】
さらに、図７乃至図１０は、他のストレーナの構成を示している。
【００３０】
このストレーナ６は、上下階に亘って配設される排水管Ｂに対して適用されるためのもので、前述したストレーナ４に代えてドレン本体２の排水口２３上面に当該ストレーナ４と同様に配設することができる。即ち、周面全体に複数の透孔６１を有し、その下端周縁６２を前記固定リング３３上に載置することによって配置される。
【００３１】
そして、ストレーナ６の上面開口には、上方階から垂設された排水管Ｂの下端部が挿入配置される。
【００３２】
ところで、ストレーナ６の上面開口は、図７及び図１０に示すように長孔６ａに形成されている。つまり、ストレーナ６の下面開口６ｂ（図８参照）に対して、この下面開口６ｂよりも上部が所定長さＬ（図１０参照）のストレート部を有する長孔６ａに形成されており、この長孔６ａの作用によって上方階から垂設される排水管Ｂとの間に芯ずれが生じた場合でも、この芯ずれを吸収して施工を円滑に行えるようにしている。
【図面の簡単な説明】
【００３３】
【図１】本発明のルーフドレンを示す斜視図である。
【図２】スラブヘ取付けた状態のルーフドレンを示す側面図である。
【図３】ルーフドレンを示す分解斜視図である。
【図４】シール機構を示す図２のＸ部拡大の断面図である。
【図５】ドレン本体に対するパッキンの取付状態を示す拡大の断面図である。
【図６】シール機構の他の例を示す図２のＸ部拡大の断面図である。
【図７】他のストレーナを示す斜視図である。
【図８】同じくストレーナを示す上下ひっくり返した状態の斜視図である。
【図９】スラブへ取付けた状態の同じくストレーナを示す側面図である。
【図１０】同じくストレーナを示す平面図である。
【符号の説明】
【００３４】
１  ルーフドレン
２  ドレン本体
２３  排水口
３  防水シート
４  ストレーナ
５  調整部材
６  ストレーナ
６ａ  長孔
Ａ  スラブ
Ｂ  排水管
【図１】
2006037391.tif 000003
【図２】
2006037391.tif 000004
【図３】
2006037391.tif 000005
【図４】
2006037391.tif 000006
【図５】
2006037391.tif 000007
【図６】
2006037391.tif 000008
【図７】
2006037391.tif 000009
【図８】
2006037391.tif 000010
【図９】
2006037391.tif 000011
【図１０】
2006037391.tif 000012